(57)【要約】      （修正有）【課題】プリント回路板を個別に押さえ、かつ個別に解放できるプリント回路板押さえ構造を提供すること。【解決手段】プリント回路板を収容可能なケース４の二つの面に、互いに平行に空隙加工した第一と第二の溝４−１に係合し、それぞれの溝に沿って位置を変更可能できると共に、それぞれの溝に固定するためのネジ穴を備え、さらにプリント回路板押さえの端部に係合して支持する支持部を有する第一と第二の調節ホルダ２，３と、一端に前記第一の調節ホルダへ係合する係合部を有し、かつネジを通すための空隙をなす溝を有するスライドホルダ１−２と、一端に第二の調節ホルダへ係合する係合部を有し、かつ前記スライドホルダを固定するためのスライドホルダ固定ネジＮ−１用のネジ穴を有するプリント回路板ホルダ１−１、とから構成する。【選択図】図１
2016127240.tif 000002
【特許請求の範囲】
【請求項１】
互いに平行な二つの面をもつ箱型をなし、プリント回路板を収容可能なケースであって、
前記の二つの面にそれぞれ空隙加工した互いに平行な第一と第二の溝をそなえるケースと、
それぞれ前記の溝に係合し、これらの溝に沿って位置を変更可能な第一と第二の調節ホルダと、両端をそれぞれ前記の調節ホルダに着脱可能に支持されるプリント回路板押さえ手段と、
を有することを特徴とするプリント回路板押さえ構造。
【請求項２】
請求項１において、
前記第一と第二の調節ホルダは、前記プリント回路板押さえ手段の端部に係合して支持する支持部と、ネジ穴と、を備え、ネジによりそれぞれ前記第一と第二の溝に固定される
ことを特徴とするプリント回路板押さえ構造。
【請求項３】
請求項２において、
前記プリント回路板押さえ手段はプリント回路板ホルダとスライドホルダとを有し、このスライドホルダはその一端に前記第一の調節ホルダへ係合する係合部を有すると共にネジを通すための空隙をなす溝を有し、
前記プリント回路板ホルダは前記スライドホルダを固定するためのスライドホルダ固定ネジ用のネジ穴を備えるとともに、一端に前記第二の調節ホルダへ係合する係合部を有しており、
前記スライドホルダ固定ネジを緩めたとき、前記スライドホルダを前記プリント回路板ホルダに沿って上下方向にスライドできる
ことを特徴とするプリント回路板押さえ構造。
【請求項４】
請求項１において、
前記プリント回路板が複数あるとき
前記第一と第二の溝の組と、前記溝のそれぞれに設けられる前記第一と第二の調節ホルダの組と、プリント回路板押さえ手段とを、少なくとも前記プリント回路板と同数備えることを特徴とするプリント回路板押さえ構造。
【発明の詳細な説明】
【技術分野】
【０００１】
本発明は、プリント回路板を実装する筺体（これをケースと呼ぶ）において、プリント回路板を押さえる構造に関するものである。
【背景技術】
【０００２】
プリント回路板を実装するケースに複数のプリント回路板を挿入・抜出する構造が従来から知られている。特定の機能を備えたプリント回路板を差し替えることで当該ケースは多くの機能を持つことが出来る。前記プリント回路板は、前記ケースの奥に備えたコネクタに差し込まれて、当該コネクタの電気配線を介して他のプリント回路板と電気信号のやり取りを行う。
【先行技術文献】
【特許文献】
【０００３】
【特許文献１】特開2010-278230公報
【発明の概要】
【０００４】
文献１は、プリント回路板を確実に固定するとともに、コネクタとの接触不良の可能性を低減するプリント回路板押さえ構造を開示する。このプリント回路板押さえ構造は、一枚のプリント回路板押さえ部材が複数のプリント回路板を留め置くことを特徴とする。前記プリント回路板押さえ部材は、ネジでケースに固定することで、複数のプリント回路板がケースから抜けたり、ずれたりすることを防止する。
【発明が解決しようとする課題】
【０００５】
文献１はプリント回路板を一括して押さえることが出来るが、任意のプリント回路板以外のプリント回路板を押さえたままの状態で任意のプリント回路板を個別にケースから挿入・抜出できない。また前記プリント回路板押さえ部材は、個々のプリント回路板に同一の力で抑えられないことから、メインプリント回路板のコネクタと接触不良を起こす恐れがある。さらにプリント回路版の奥行の寸法が異なっている複数のプリント回路板をケースに固定する場合、前記プリント回路板を抑える位置が同じにならないため、前記プリント回路板押さえ部材は使えなくなる。本発明の目的は、プリント回路板を個別に押さえかつ個別に解放できるプリント回路板押さえ構造を提供することである。
【課題を解決するための手段】
【０００６】
プリント回路板を収容可能なケースの二つの面に、互いに平行に空隙加工した第一と第二の溝に係合し、それぞれの溝に沿って位置を変更可能できると共に、それぞれの溝に固定するためのネジ穴を備え、さらにプリント回路板押さえの端部に係合して支持する支持部を有する第一と第二の調節ホルダと、一端に前記第一の調節ホルダへ係合する係合部を有し、かつネジを通すための空隙をなす溝を有するスライドホルダと、一端に第二の調節ホルダへ係合する係合部を有し、かつ前記スライドホルダを固定するためのスライドホルダ固定ネジ用のネジ穴を有するプリント回路板ホルダ、とから構成するプリント回路板押さえ構造。
【発明の効果】
【０００７】
本発明のプリント回路板押さえ構造は、各プリント回路板に使用するので、任意のプリント回路板を個別に、ケースに挿入・抜出することができる。
【０００８】
複数のプリント回路板をケースに挿入・抜出する場合、個別プリント回路板に使うスライドホルダのねじで固定するので個々のプリント回路板は、メインプリント回路板のコネクタと接触不良を起こす可能性は減少する。
【０００９】
調節ホルダは、前記ケースでの固定位置が調節可能となるので、奥行の寸法が異なる複数のプリント回路板をケースに個別に固定できる。
【図面の簡単な説明】
【００１０】
【図１】本発明に係わる、プリント回路板押さえ構造の構成を説明するための、調節ホルダと、スライドホルダと、プリント回路板ホルダを表す模式図である。
【図２】本発明に係わる、調節ホルダとプリント回路板との位置関係を説明するためのケース平面図である。
【図３】本発明に係わる、スライドホルダと、プリント回路板ホルダと、を説明するためのケース正面図である。
【図４】本発明に係わる、スライドホルダと、プリント回路板ホルダと、を説明するためのケース側面図である。
【発明を実施するための最良の形態】
【００１１】
本発明の実施の形態１.を図１から図４を参照しながら詳細に説明する。
【００１２】
実施の形態１．
【００１３】
図１（ａ）は、本発明に係るプリント回路板押さえ構造の要部の分解状態を表す正面図である。図１（ｂ）は、本発明に係わるプリント回路板押さえ構造の調節ホルダの分解状態を表す平面図である。図１（ａ）と（ｂ）とでは、視線の方向が９０度異なることに注意されたい。１−１と１−２は、それぞれプリント回路板ホルダと、スライドホルダである。調節ホルダ固定ネジＮ−２は、実際はＮ−２−１およびＮ−２−２の２個あるが、前記図１（ａ）では紙面垂直方向に一列に描いているので１個表示である。同様に、調節ホルダ固定ネジＮ−３は、実際は２個あるが、前記図１（ａ）では紙面垂直方向に一列に描いているので１個表示である。第一の調整ホルダ２は、概略Ｌ文字形状の板金であり、スリット２−１−２及び２個のネジ穴２−１−１を備える。ケース４（部分的に図示されている）は、全体の形状としては、例えば板金製の平行六面体をなす中空の箱である。その一面には開口が設けられ、ケース４の内部に収容されているプリント回路板６を交換可能としている。前記図１（ｂ）にケース４の天板の一部を図示する。このケース４の天板には、板金の肉厚を貫通する第一の溝４−１が形成されている。前記第一の調整ホルダ２は（紙面を向いた視点から見て）ケース４の裏側に配置され、調節ホルダ固定ネジＮ−２−１及びＮ−２−２の先端が前記第一の溝４−１を通してネジ穴２−１−１にねじ込まれる。これにより、調整ホルダ２は、ケース４の上面に穿った前記第一の溝４−１の任意の場所に、前記調節ホルダ固定ネジＮ−２−１およびＮ−２−２で固定することができる。同様に、前記天板に対向する底板（図示せず）にも、前記第一の溝４−１に対応する位置に、前記第一の溝４−１と平行な第二の溝（図示せず）が形成されている。第二の調整ホルダ３は２個のネジ穴（図示せず）を備え、この底板の前記第二の溝（図示せず）の任意の場所に、調節ホルダ固定ネジＮ３で固定することができる。
【００１４】
前記図１（ａ）において、プリント回路板ホルダ１−１は、概略長方形状の板金であり、その一端付近にスライドホルダ固定ネジＮ−１用のネジ穴１−１−１を有し、他端に突起１−１−２を備えている。この突起１−１−２は、前記第二の調整ホルダ３のスリット（図示せず）に着脱自在に差し込まれる。スライドホルダ１−２は概略長方形状の板金で、一端に突起１−２−１を備えると共に、他端には折り曲げられて紙面から垂直に突出する指掛用突起１−２−３を有し、さらに中央部分には板金の肉厚を貫通する溝１−２−２が形成されている。この溝１−２−２を通して前記スライドホルダ固定ネジＮ−１の先端が前記プリント回路板ホルダ１−１の前記ネジ穴１−１−１にねじ込まれ、前記スライドホルダ１−２が前記プリント回路板ホルダ１−１に固定される。前記スライドホルダ固定ネジＮ−１を緩めると、前記スライドホルダ１−２は、前記プリント回路板ホルダ１−１において上下方向にスライドできる。前記スライドホルダ１−２の前記突起１−２−１を調整ホルダ２のスリット２−１−２に差し込んだ状態で前記ホルダ固定ネジＮ−１を締結することによって、前記プリント回路板ホルダ１−１はその両端を前記第一の調整ホルダ２及び前記第二の調整ホルダ３のそれぞれのスリットに保持され、前記ケース４の天板および底板（いずれも図示せず）を連結するように固定される。また、前記プリント回路板ホルダ１−１はその中央付近に、折り曲げられて紙面から垂直に突出するヒレ形状の部分を有する。このヒレ形状の部分には、前記プリント回路板固定ネジＮ−４−１およびＮ−４−２をねじ込むための二つのネジ穴（図示せず）が設けられている。前記プリント回路板６に設けられた二つの穴を通して、前記プリント回路板固定ネジＮ−４−１およびＮ−４−２を前記ヒレ形状の部分のネジ穴にネジ込むことにより、前記プリント回路板６をプリント回路板ホルダ１−１に固定する。
【００１５】
図２は平面図である。前記第一の調節ホルダ２とプリント回路板５、６との位置関係を示すために、前記ケース４の天板側から内部を透視した状態を想定して描写したものである。５は前記ケース４のメインプリント回路板（端面）であり、ケースの内壁のひとつにスタッドを介して固定されている。６は前記ケース４に着脱可能に取り付けるプリント回路板である。前記プリント回路板６は、プリント回路板ホルダ１−１（図示せず）に、前記プリント回路板固定ネジＮ−４−１およびＮ−４−２の２本の固定ネジで固定される。７は前記メインプリント回路板５と、前記プリント回路板６とを電気的・機械的に着脱可能につなぐコネクタである。前記第一の調整ホルダ２は、前記ケース４の内面に取り付ける。前記第二の調節ホルダ３も、同様に前記ケース４の天板の内面に取り付ける。図中の記号Ｄは、前記プリント回路板６の奥行を示す。前記プリント回路板６の奥行Ｄの数値が小さくなるほど、前記第一の調整ホルダ２と、前記第二の調整ホルダ３を固定する位置は、前記メインプリント回路板５に近づいた位置になる。
【００１６】
実施の形態１の図３（正面図）及び図４（側面図）は、本願発明のプリント回路板押さえ構造の使用状態を説明する図である。すなわち、図３（ａ）及び図４（ａ）は前記プリント回路板６を着脱可能な状態を示し、図３（ｂ）及び図４（ｂ）は前記プリント回路板６を固定した状態を示す。図３（ａ）、図４（ａ）は、前記スライドホルダ１−２が下側にスライドしていて、前記スライドホルダ１−２の突起１−２−１が、前記第一の調整ホルダ２のスリット２−１−２と離れている状態を示す。
【００１７】
かかる状態で、前記プリント回路板ホルダ１−１の下端部の突起１−１−２を、前記第二の調節ホルダ３のスリット（図示せず）から外すとことで、前記プリント回路板６を前記プリント回路板ホルダ１−１と共に前記ケース４の前面（図３の紙面側、図４の左側）へ引き抜くことができる。また、前記プリント回路板固定ネジＮ−４−１およびＮ−４−２を外すことで、前記プリント回路板６を交換することができる。
【００１８】
図３（ｂ）、図４（ｂ）は、前記スライドホルダ１−２を上側にスライドすることで、前記スライドホルダ１−２の上端部の突起１−２−１を、前記第一の調整ホルダ２のスリット２−１−２に差し込むとともに、前記スライドホルダ固定ネジＮ−１をネジ止めしている状態を表している。前記スライドホルダ１−２の突起１−２−１と、前記プリント回路板ホルダ１−１の下端部の突起１−１−２は、それぞれ前記第一の調節ホルダ２と前記第二の３のスリットに差し込まれているので、前記プリント回路板ホルダ１−１により、前記プリント回路板６は、前記ケース４に確実に固定される。
【００１９】
図４（ａ）と（ｂ）では、前記スライドホルダ１−２の側面がＬ字型形状で描かれている。前記スライドホルダ固定ネジＮ１を緩めた状態で、前記ライドホルダ１−２の指掛用突起１−２−３を指で抓んでスライドホルダ１−２を上下方向にスライドできる。前記スライドホルダ１−２を固定する時は、前記スライドホルダ固定ネジＮ１をねじ止めする。
【００２０】
本発明のプリント回路板押さえ構造は、一組の調整ホルダ、プリント回路板ホルダとスライドホルダにより、一枚のプリント回路板を固定していることを説明しているが、複数のプリント回路板を固定する場合、プリント回路板の数だけ、第一と第二の調整ホルダと、プリント回路板ホルダと、スライドホルダ、ならびにケースに空隙加工した第一と第二の溝を用意するものとする。スライドホルダのねじを規定した力で固定することを作業員に指示することで、各プリント基板は、メインプリント回路板の前記コネクタ７と接触不良を起こす可能性を減少できる。また複数のプリント回路板ホルダ１−１のそれぞれの固定位置を個別に調節可能となるので、奥行の寸法Ｄが互いに異なるプリント回路板６を前記ケース４の内部に個別に固定できる。
【符号の説明】
【００２１】
１−１                   プリント回路板ホルダ（プリント回路板押さえ手段）
１−１−１               固定ネジＮ−１用ネジ穴
１−１−２                プリント回路板ホルダの突起（係合部）
１−２                    スライドホルダ（プリント回路板押さえ手段）
１−２−１                スライドホルダの突起（係合部）
１−２−２                スライドホルダの空隙
１−２−３                指掛用突起
２、３                    調節ホルダ
２−１−２                調節ホルダのスリット（係合部）
４                        ケース
４−１                    溝
５                        メインプリント回路板
６                        プリント回路板
７                        コネクタ
Ｄ                        プリント回路板の奥行
Ｎ−１                    スライドホルダ固定ネジ
Ｎ−２、Ｎ−３            調節ホルダ固定ネジ
Ｎ−２−１、Ｎ−２−２    調節ホルダ固定ネジ
Ｎ−４                    プリント回路板固定ネジ
Ｎ−４−１、Ｎ−４−２    プリント回路板固定ネジ
【図２】
2016127240.tif 000003
【図３】
2016127240.tif 000004
【図４】
2016127240.tif 000005
【図１】
2016127240.tif 000006